(57)【特許請求の範囲】
【請求項１】
アダプタ本体と、アダプタラッチを備え、前記アダプタ本体内に設置されたアダプタスリーブとを有し、
フエルールを備えた光コネクタがコネクタラッチ、あるいは該コネクタラッチ及び板状部を備えて前記アダプタ本体に挿入され、アダプタラッチが前記コネクタラッチ、あるいは該コネクタラッチ及び前記板状部を乗り上げて越え、前記アダプタラッチの頭部が、前記コネクタラッチの頭部、あるいは該コネクタラッチの頭部及び前記板状部を乗り越えて前記コネクタラッチに係合されて、前記光コネクタの接続がなされ、
前記アダプタ本体に通過孔が設けられ、
連結子が前記光アダプタラッチの頭部と連動するようにして、かつ一部が前記通過孔を通過して設けられ、
前記光コネクタが前記アダプタ本体に挿入される際に、前記アダプタラッチの頭部を浮き上がり動作させて、前記連結子が前記アダプタラッチ浮き上がり動作量を機械的に回動増幅をさせ、該回動増幅した動作量の位置を表示する光アダプタにおいて、
前記連結子が前記アダプタラッチとは別体にされた連結子部及び前記回動増幅した動作量の位置を表示する回転表示部から構成され、前記連結子部は、その先端が前記アダプタラッチに当接し、連結子回転支点を備え、他端側に駆動面を有して、該連結子回転支点を中心として回動可能とされ、前記回転表示部が回転表示部回転支点を備え、前記駆動面に係合する被駆動面を有して、当該回転表示部回転支点を中心として回動可能とされ、前記駆動面と前記被駆動面で回転力伝達係合部が形成されて構成され、該回転力伝達係合部が形成された前記連結子が前記アダプタラッチの頭部の浮き上がり動作によって、前記連結子回転支点及び前記回転表示部回転支点を中心として回動されて、前記アダプタラッチ浮き上がり動作量を回動増幅させ、前記回転表示部が前記連結子によって回転されて、その回転表示面に前記回動増幅した動作量で前記アダプタラッチが前記コネクタラッチあるいは前記板状部に乗り上げたときの半挿し状態を表示し、
前記駆動面及び前記被駆動面の双方は、それぞれ段差が形成された、前記連結子部の連結子回転支点から遠近のある面とされ、回転に伴って、前記連結子部の連結子回転支点から近い側の駆動面及び被駆動面の係合から、遠い側の駆動面および被駆動面との係合へとシフトされて回転伝達がなされるようにされたこと
を特徴とする光アダプタ。
【請求項２】
請求項１記載の光アダプタにおいて、前記半挿し状態の表示と、前記アダプタラッチが前記コネクタラッチに係合した状態の表示とを異なった色彩で前記回転表示面に表示することを特徴とする光アダプタ。
【請求項３】
請求項１記載の光アダプタにおいて、前記表示窓は、駆動子の回転方向に対して直角方向に長細形状とされ、前記回転表示面は、直角方向に、該長細形状の長細幅よりも大きな幅を持つように形成されることを特徴とする光アダプタ。
【請求項４】
請求項１から３記載の光アダプタにおいて、前記連結子は、該連結子を常に前記アダプタラッチに押圧する力が作用するばね材を備えることを特徴とする光アダプタ。
【請求項５】
請求項１から４記載の光アダプタにおいて、前記連結子部は、板材でＶ字状に形成され、ばね機能を保持し、該ばね機能による伝達力が前記被駆動面に伝達されるようにされたことを特徴とする光アダプタ。
【請求項６】
請求項１または３記載の光アダプタにおいて、前記監視箱が、前記アダプタ本体とは別体とされて、アタッチメント面を有し、前記アダプタ本体に設けたアタッチメント面に接合されて該アダプタ本体に一体化されることを特徴とする光アダプタ。
【請求項７】
請求項１、３または６記載の光アダプタにおいて、前記表示窓が、監視箱の上面に、もしくは光コネクタ挿入側の側方側面に、またはこれらの双方の面に形成されることを特徴とする光アダプタ。
【請求項８】
請求項６または７において、前記回転表示部はその回転表示面に光コネクタが接続されていない時の表示色としてのＮＧ表示色が施された表示面を有することを特徴とする光アダプタ。
【発明の詳細な説明】
【技術分野】
【０００１】
本発明は、光コネクタ連結用の光アダプタに関する。
【背景技術】
【０００２】
光通信システムにおいて、光ファイバケーブル同士、または光ファイバケーブルと機器を接続するために光コネクタとしての光アダプタが用いられる。
【０００３】
特許文献１には、一組のプラグを相互に接続するアダプタであって、プラグを固定するラッチを備え、該ラッチには、プラグとラッチとの嵌合状態をハウジングの外部から確認可能に突起が形成されたアダプタが記載されている。ここにいうアダプタは光アダプタのことである。
【０００４】
特許文献２には光パッチパネルが記載されている。
【先行技術文献】
【特許文献】
【０００５】
【特許文献１】特開２０１０−３８９８８号公報
【特許文献２】特開２００７−５７６４２号公報
【発明の概要】
【発明が解決しようとする課題】
【０００６】
特許文献１には、上述のようにラッチとの嵌合状態をハウジングの外部から確認可能に突起が形成されたアダプタが記載されている。また、この文献１には、突起にはマークが付されたり、あるいは窓部がレンズ部を含む透明部で覆われることが記載されている。
【０００７】
特許文献１に記載された技術によればラッチによる接続箇所の嵌合状態を直接確認できるメリットがある。しかしながら、嵌合状態の不成立の場合のラッチ動作量が０．８ｍｍといった極めて微少なときには、突起の動作を直接確認することは困難がある。突起の動作方向が目線の方向と一致するため、動作を確認することが一層困難である。窓部にレンズ部を含む透明部で覆うような構成にあっても突起の動作を直接確認することには困難があるといわざるを得ない。
【０００８】
特許文献２に記載された方法では部品点数が多く簡単構造というわけにはいかない。
【０００９】
本発明者等は、ラッチの動作を簡便に増幅し、また、光アダプタの取り付け場所によっては斜め方向からも嵌合状態を視認できるようにして、またラッチの動作を接続工事時に目視を容易に確認できるようにして、係合状態の不成立、すなわち半挿といわれる状態で工事を終了するような場合や、接続工事後に誤ってコネクタつまみを引き、半挿状態となる接続不良事故の発生を防止することを課題にして次のような発明を特許出願（特願２０１０−１３５５９４）した。
【００１０】
アダプタ本体と、板状のアダプタラッチを備え、前記アダプタ本体内に設置されたアダプタスリーブとを有し、
フエルール、コネクタラッチ及びつまみ板状部を備えた光コネクタが前記アダプタ本体に挿入され、前記アダプタラッチの頭部が、前記つまみ板状部及び前記コネクタラッチの頭部を乗り越えて前記アダプタラッチの頭部に係合されて、前記光コネクタの接続がなされる光アダプタにおいて、
前記アダプタ本体に通過孔が設けられ、
連結子が前記光アダプタラッチの頭部と連動するようにして、かつ前記通過孔を通過して設けられ、
前記光コネクタが前記アダプタに挿入される際に、前記アダプタラッチの頭部が、前記光コネクタに設けたつまみ板状部に乗り上げ状態となって浮き上がり動作されて、または前記コネクタラッチの頭部に前記アダプタラッチの頭部が係合することなく頭部同士が当接したときに、前記コネクタラッチの頭部によって浮き上がり動作されて、前記連結子が前記アダプタラッチ浮き上がり動作量を機械的に回動増幅をさせ、該回動増幅した動作量の位置を表示すること
を特徴とする光アダプタ。
【００１１】
本発明は、この先願発明を改良するもので、先願発明の課題を解決し、更にこの課題を解決に当って装置の小型化を図ることにある。
【課題を解決するための手段】
【００１２】
本発明は、アダプタ本体と、アダプタラッチを備え、前記アダプタ本体内に設置されたアダプタスリーブとを有し、
フエルール、コネクタラッチ及び板状部を備えた光コネクタが前記アダプタ本体に挿入され、前記アダプタラッチの頭部が、前記つまみ板状部及び前記コネクタラッチの頭部を乗り越えて前記アダプタラッチの頭部に係合されて、前記光コネクタの接続がなされ、
前記アダプタ本体に通過孔が設けられ、
連結子が前記光アダプタラッチの頭部と連動するようにして、かつ前記通過孔を通過して設けられ、
前記光コネクタが前記アダプタ本体に挿入される際に、前記アダプタラッチの頭部を浮き上がり動作させて、前記連結子が前記アダプタラッチ浮き上がり動作量を機械的に回動増幅をさせ、該回動増幅した動作量の位置を表示する光アダプタにおいて、
前記連結子が前記アダプタラッチとは別体にされた連結子部及び前記回動増幅した動作量の位置を表示する回転表示部から構成され、前記連結子部は、その先端が前記アダプタラッチに当接し、回転支点を備え、他端側に駆動面を有して、該回転支点を中心として回動可能とされ、前記回転表示部が回転支点を備え、前記駆動面に係合する被駆動面を有して、当該回転支点を中心として回動可能とされ、前記駆動面と前記被駆動面で回転力伝達係合部が形成され、該回転力伝達係合部が形成された前記連結子が前記アダプタラッチの頭部の浮き上がり動作によって、二つの回転支点を中心として回動され、前記回転表示部がその回転表示面に前記回動増幅した動作量を示すようにしたこと
を特徴とする光アダプタを提供する。
【００１３】
本発明は、また、光アダプタにおいて、前記駆動面及び前記被駆動面の双方は、それぞれ段差が形成された、前記連結子部の回転支点から遠近のある面とされ、回転に伴って、前記連結子部の回転支点から近い側の駆動面及び被駆動面の係合から、遠い側の駆動面および被駆動面との係合へとシフトされて回転伝達がなされるようにされたことを特徴とする光アダプタを提供する。
【００１４】
本発明は、また、光アダプタにおいて、内部に前記連結子部、前記回転表示部を備え、異なった色彩の施された、前記回転表示面に対応し、該色彩を視認する表示窓が備えられた監視箱を有することを特徴とする光アダプタを提供する。
【００１５】
本発明は、また、光アダプタにおいて、前記表示窓は、前記駆動子の回転方向に対して直角方向に長細形状とされ、前記回転表示面は、直角方向に、該長細形状の長細幅よりも大きな幅を持つように形成されることを特徴とする光アダプタを提供する。
【００１６】
本発明は、また、光アダプタにおいて、前記連結子は、該連結子を常に前記アダプタラッチに押圧する力が作用するばね材を備えることを特徴とする光アダプタを提供する。
【００１７】
本発明は、また、光アダプタにおいて、前記連結子部は、板材でＶ字状に形成され、ばね機能を保持し、該ばね機能による伝達力が前記被駆動面に伝達されるようにされたことを特徴とする光アダプタを提供する。
【００１８】
本発明は、また、光アダプタにおいて、前記監視箱が、前記アダプタ本体とは別体とされて、アタッチメント面を有し、前記アダプタ本体に設けたアタッチメント面に接合されて該アダプタ本体に一体化されることを特徴とする光アダプタを提供する。
【００１９】
本発明は、また、光アダプタにおいて、前記表示窓が、光コネクタ配設方向であって、監視箱２４の上面に、光コネクタ挿入側であって、監視箱２４の側方側面に、もしくはこれらの双方の面に形成されることを特徴とする光アダプタを提供する。
【００２０】
本発明は、また、前記回転表示部はその回転表示面に光コネクタが接続されていない時の表示色としてのＮＧ表示色が施された表示面を有することを特徴とする光アダプタを提供する。
【発明の効果】
【００２１】
本発明によれば、上述したように連結子が双方のラッチが係合したときと異なる半挿しの状態の位置であって、光コネクタラッチの浮き上がり動作量を機械的に回転増幅させ、該増幅した動作量の位置を表示するようにしているので、先コネクタの浮き上がりを機械的に簡便に増幅し、ラッチの動作を接続工事時に目視によって容易に確認できるので、半挿しといわれる係合状態の不成立で接続工事を終了させるといったことの防止に有効となる。更に本発明によれば、上述のように連結子をそれぞれ回転可能とした連結子部及び回転表示部から構成しているので、増幅した動作量を狭小領域で形成することができて、装置の小型化を図ることができる。
【図面の簡単な説明】
【００２２】
【図１】本発明の実施例の構造を示す横断面図。
【図２】本発明の実施例の外観を示す図。
【図３】本発明の実施例による連結子の動作を示す図。
【図４】本発明の他の実施例の構造を示す横断面図。
【図５】図４に示す構造の外観を示す図。
【図６】本発明の他の実施例の構造を示す横断面図。
【図７】図６に示す構造の外観を示す図。
【図８】本発明の他の実施例の構成図。
【発明を実施するための形態】
【００２３】
以下、本発明の実施例を図面に基づいて説明する。
【実施例１】
【００２４】
図１は、本発明の実施例である光アダプタ１の全体構成を半割りの断面状態を示す。
【００２５】
図１に示す光アダプタ１は、フランジ１０を中央にして、左右方向の二方から延在する２つの光コネクタ２、２Ａを接続する。図１には二つの光コネクタ２、２Ａが図示してあるが、一つの光コネクタを接続するいわゆるプラグ構成であってもよい。ここでは一方の光コネクタとの接続について主に説明するものとし、他方は一方の光コネクタとの接続について説明する。このため、他方の光コネクタについては一方のコネクタと部品に対応する部品に“Ａ”を付着している。２つの光コネクタ２、２Ａは、それぞれアダプタ本体４を備え、それぞれの先端にフエルール５、５Ａを備え、これらのフエルール５、５Ａが接続に用いられる。
【００２６】
図１は、光アダプタ１に光コネクタ２、２Ａが挿入され、双方のラッチ同士が係合（嵌合ともいう。）されて、光コネクタの正常接続がなされた状態（左半分）、及び光コネクタ２が挿入され、双方のラッチ同士が係合することなく当接した状態（係合の不成立状態で右半分）を示す。
【００２７】
図２は、図１の外観図を示し、光コネクタ２、２Ａは光ファイバ３、３Ａを内蔵する。図１においては、光コネクタ２、２Ａの一部、及び光ファイバケーブルの図示を割愛した状態を示す。また、図２は、アダプタ４の光コネクタ２、２Ａのそれぞれの挿入側入口にシャッター５１を取り付けた例を示す。シャッター５１は、シャッター取り付け部５２に取り付けられる。
【００２８】
図１において、光アダプタ１は、外部のアダプタ本体４、内部中央に挿入された光コネクタ２、２Ａのフエルール５及びフエルール５Ａをアダプタ本体４に固定するアダプタスリーブ６から構成される。アダプタスリーブ６は、長手方向に延在する内側のスリーブ８と内側のアダプタラッチ９とこれらの支持部７からなり、スリーブ８はその内側に収容された割スリーブ１２を保持する。割スリーブは、双方のフエルール５、５Ａの軸合わせをして固定する。アダプタラッチ９は板状に伸びその先端に内方に突出する頭部９Ａを備える。
【００２９】
このように、光アダプタ１には、スリーブ８を備えたアダプタスリーブ６が内部に設けられ、アダプタスリーブ６は割スリーブ１２を保持し、割スリーブ１２の中に光コネクタ２、２Ａに設けたフエルール５、５Ａが保持される。
【００３０】
上述のように、光コネクタ２は、軸中心に接続部となる光ファイバを収容するフエルール５を備える。フエルール５の外部にフエルール５を保持する機能を備えたハウジング１１が設けられる。ハウジング１１の一部は、スリーブ８とアダプタラッチ９との間に収まり、フエルール５はスリーブ８及び割スリーブ１２の内側に収まる。フエルール５は、フエルールフランジ１５を備え、フエルールフランジ１５の外側にハウジング１１に固定されるストップリング１６が設けられ、ストップリング１６とフエルールフランジ１５との間の空間にスプリング１７が配設される。このようにして、フエルール５はフエルールフランジ１５を介してスプリング１７によって押圧され、フエルール５Ａとの間の接合がなされることになる。アダプタ本体４の内方にはハウジング１１が配設され、アダプタ本体４の長手方向の先端の開口に向けて装着されるつまみ１４が配設される。つまみ１４が開口に向けて装着され、他方側に板状部１４´が備えられ、ハウジング１１を長手方向に摺動させる。ハウジング１１の摺動に伴って、アダプタラッチ９が可動する。
【００３１】
内方向に向けて突出するアダプタラッチ９の頭部９Ａに対向する形でハウジング１１には外方に向けて突起した頭部１９が形成される。この頭部１９はコネクタラッチ１３を形成する。アダプタラッチ９とコネクタラッチ１３の係合によってラッチ係合機構が形成され、ラッチ係合が成されることになる。なお、頭部１９は突出しない平面状形成であっても係合のための段差を持てばよい。つまみ１４が用いられてコネクタラッチ１３が光アダプタ１の内方へ挿入されるに伴なってアダプタラッチ板状部１４´に乗り上げて超え、更にコネクタラッチ１３の頭部１９がアダプタラッチ９の頭部９Ａを乗り上げて超え、アダプタラッチ９のコネクタラッチ１３への係合が頭部同士の水平方向の段差による係合によってなされる。この係合の接続の状態が、上述したように、左半分に光コネクタ２Ａと光アダプタ１との係合状態として示される。このように２つの頭部はラッチ係合部、すなわち前述のようにラッチ係合機構を構成する。
【００３２】
この係合がなされず、アダプタラッチ９の頭部９Ａが板状部１４´に乗り上げた状態あるいは２つの頭部９Ａ，１９が垂直方向に当接するにとどまっている場合がある。この乗り上げた状態が半挿し（半ラッチ）と呼ばれる状態であり、右半分に光コネクタ２と光アダプタ１との半挿しの状態が示される。
【００３３】
係合状態と半挿しの状態とでは水平方向のスライド量の差は極めて小さく、つまみに表示される白線標示による係合状態確認を見落としかねない。これによって故障があったと判断しかねない。
【００３４】
半挿しによる接続不良は、
１）接続時の双方の頭部係合によるカチッとなるまで押し込んでいない場合、あるいは
２）接続後につまみ１４を引戻しする等でアダプタラッチ９の頭部９Ａの頭部が浮き上がることで、半挿し状態になる場合に生じる。
【００３５】
本実施例にあっては、以下の構成によって係合状態確認の見落しが視認され、防止される。
【００３６】
ハウジング４にはラッチ係合部に対向、対応する位置に通過孔２０、すなわち窓が設けられる。
【００３７】
光アダプタラッチ９の頭部９Ａに一体化されて連動する連結子２１が設けられる。連結子２１は、光アダプタ１に一体的に成形あるいは固着された監視箱２４内に配設される。なお、監視箱２４は一部が割愛された状態で示してある。監視箱２４はその上面に表示窓３９を備える。表示窓３９の形状については後述する。
【００３８】
連結子２１は、頭部９Ａに、頭部９Ａの方向とは反対方向に延在して設けられた連結子部２２とこの連結子部２２の延在方向（頭部９Ａ方向）に形成されて連結された連結子部２３とから構成される。連結子部２２は通常アダプタラッチ９を含んで構成される。従って、本例の説明の場合、アダプタラッチ９を連結子部２２という場合がある。そして、連結子２１の連結子部２３は、通過孔２０を通過してハウジング１１の外方に配設された構成となる。このように、連結子部２３は通過孔２０から外方へ突出する。この例では連結子部２３を連結子部２２の延在方向に形成した構成としているが、連結子部２３を連結子部２２に対して所定の角度を持つように形成してもよい。
【００３９】
連結子部２３は、その先端に識別用の回転表示部２５を備える。
【００４０】
識別用の回転表示部２５は、１つの回転部品として構成され、黄色か緑色の色彩の施された表示部（黄又は緑色彩表示部）２６、赤色の色彩の施された表示部（赤色色彩表示部）２７からなる。他の色彩を用いてもよい。また、識別用の回転表示部２５を色ごとに２つの部材で形成してもよい。このように形成された識別表示部２５は、監視箱２４内を時計の逆回転方向に回転可能とされる。すなわち、初期の角度０°から所定の角度回転可能とされる。時計方向回転としてもよい。連結子２１には、監視箱２４内に配置され、一端がその内壁に接触し、他端が連結子部２３に接触するばね材である板ばね３０が設けられており、常に回転方向への回転力が付与され、識別用の回転表示部２５の表示を正常方向になるように作用している。
【００４１】
なお、ここでは連結子部２２及び連結子部２３のように表現したが、一つの部材で形成して全体が連結子部２１として表現することができる。
【００４２】
正常接続の状態にある場合には、２つの頭部は正常に係合しているので、２つの頭部は長手方向である水平方向に同一高さの真横に位置していてアダプタラッチ９の頭部１９が頭部１３Ａによって外方に向けて浮き上がり動作されていない。アダプタラッチ９は支持部７を支点とした回動するも、２つの頭部が保持することで元の状態に復帰し、頭部９Ａを浮き上がらさせない。このため、識別用の回転表示部２５は、黄又は緑色彩色色彩表示部２６が壁内面に近傍にあって、所定の角度を示す位置の正常位置にあり、正常状態を表示する。赤色色彩表示部２７は半挿し状態を表示する。これらの正常状態あるいは半挿し状態は監視箱２４の外側から視認され得る。
【００４３】
半挿しの状態にある場合には、２つの頭部は正常に係合していないので、頭部９Ａは頭部１９に乗りあげ、アダプタラッチ９は湾曲する。これによって、図に示すように２つの頭部の先端同士で接触し、頭部９Ａが頭部１９によって外方向に向けて頭部１９の有する高さだけ浮き上がり動作される。この状態では、アダプタラッチ９は支持部７を支点として回動し、光アダプタラッチは、上述したように板状部と頭部９Ａで構成されており、当接時に板状部の回動し、頭部１９によって頭部９Ａは浮き上がり動作が可能となる。半挿しから更に挿入されるとラッチ機構が構成され、正常状態となる。
【００４４】
頭部９Ａの浮き上がり動作に伴なって連結子部２２は、通過孔２０を外方に移動動作し、板状部の回動に伴って連結子部２３を回動動作させる。識別表示部２５の回転表示部回転中心４１から連結子部２３の先端（３７の先端）までの長さに対して、回転中心４１から回転表示面４２までの長さに比して増幅される。識別表示部２５は、回転方向の増幅動作表示によって半挿しの状態を確実に表示することになる。外部から増幅動作表示は視認し易いものとなる。
【００４５】
このように、コネクタラッチ１３の頭部１９がアダプタラッチ９の頭部９Ａに係合することなく当接したときに、アダプタラッチ９の頭部９Ａが光コネクタラッチ１３の頭部１９によって動作され、半挿しの状態位置についてのアダプタラッチ９の浮き上がり動作量を機械的に回転増幅させることができ、識別表示部２５は、この回転動作量の位置を表示することになる。連結子２１の動作に伴って、識別表示部２５は、動作表示に際して外方に向けての直線動作を回転方向への回転動作に変更して示すので、角度方向を指向して、視認しやすい動作をする特徴がある。また、垂直方向の高さを大きくしないで済む利点がある。
【００４６】
以上のように、光アダプタ１は、
アダプタ本体４と、板状のアダプタラッチ９を備え、アダプタ本体１内に設置されたアダプタスリーブ６とを有し、
フエルール５、コネクタラッチ１３及び板状部１４´を備えた光コネクタ２がアダプタ本体４に挿入され、アダプタラッチ頭部９Ａが、板状部１４´及びコネクタラッチ１３の頭部を乗り越えてアダプタラッチの頭部９Ａに係合されて、光コネクタの接続がなされ、
アダプタ本体４に通過孔２０が設けられ、
連結子２１が光アダプタラッチの頭部９Ａと連動するようにして、かつ通過孔２０を通過して設けられ、
光コネクタ２がアダプタ本体４に挿入される際に、アダプタラッチの頭部９Ａを浮き上がり動作させて、連結子２２は、連結子部２３を回動動作させる。
【００４７】
連結子２１が、光アダプタ本体４もしくは光コネクタ２の挿入時の動きと連動するようにして浮き上がり動作され、かつ通過孔２０を通過するようにして設けられ、光コネクタ２がアダプタ本体４に挿入される際に、アダプタ本体４もしくは光コネクタ２の挿入時の動きとの連動によって生成された当該連結子２１の浮き上がり動作量を機械的に回動増幅をさせ、この回動増幅した動作量を示す先端に、異なった色彩の施された表示部４２を備えるものとされる。
【００４８】
次に、図３を用いて連結子２１及びこの連結子２１に関連した構成について説明する。図３は、図１のアダプタラッチ部分における縦断面を示す。
【００４９】
図３において、連結子２１は、アダプタ本体４、すなわちアダプタラッチ２２とは別体構成とされる。
【００５０】
そして、連結子２１は、連結子部２３及び回転増幅した動作量の位置を表示する識別用の回転表示部２５から構成される。
【００５１】
連結子部２３は、その先端である一端がアダプタラッチ２２である連結子部に当接する。すなわちこの当接によって連結子部２３は浮き上がり駆動される。あるいは、板状部１４´のような光コネクタ２の一部と当接して浮き上がり駆動される。
【００５２】
連結子部２３は、Ｖ字状をなす部材から形成され、三方に突出する形体とされ、その一つが上述したようにアダプタラッチ２２に当接する。Ｖ字状部材の１つの突出部には連結子回転支点３１が形成され、連結子部２３は、この連結子回転支点３１を中心として回動することができる。連結子回転支点３１は、外側配置の監視箱２４によって保持される。
【００５３】
残りの一方の突出部である他端側には駆動部３２の駆動面３３が形成される。
【００５４】
駆動面３３には内方に窪んだ段差３４が設けられ、図３（ａ）の正常時に、回転支点３１に近い垂直面３５、水平面３５Ａ、遠い水平面３６及びこれらの面を直角以上の傾斜とされた傾斜面３７から形成される。
【００５５】
回転表示部２５は、回転体で形成され、回転体は、上述のように１つの回転部品として構成され、黄又は緑色色彩部２６と赤色色彩表示部２７とから構成される。図３に示す例では、二つの表示部２６、２７を別々に形成して一体形としているが、１つの部材で形成して二つの表示部２６、２７の表面に黄又は緑色色彩、及び赤色色彩を施すようにしてもよい。要は、２つの隣接する２つの色彩部を形成するようにして回転体の回転率に伴って色彩部が回転して識別機能を示すようにする。回転体の回転のために、回転表示部回転支点４１が設けてある。回転表示部回転支点４１は、連結子回転支点３１と同様に監視箱２４によって保持される。
【００５６】
回転表示部回転支点４１と被駆動面４３（被駆動部４５）との距離に対して、回転表示部回転支点４１と表面部２６、２７との距離は大きなものとして設定される。
【００５７】
回転支点４１と被駆動面４３（被駆動部４５）との距離に対して、回転支点４１と表面部２６、２７との距離は大きなものとして設定される。
【００５８】
これによって、回転動作量増幅作用が得られる。
【００５９】
被駆動面４３には外方に突出した形での段差４４が形成される。被駆動面４３は、図３（ｄ）（拡大図）に詳細に示すように、垂直面４５、水平面３５Ａに対向する垂直面４６、水平面４６Ａ、傾斜面３７に対向する垂直面４７とから形成され、これらの面が交わる線が段差４４とされる。
【００６０】
水平面３６が形成された先端部は、回転表示部２５に、回転支点４１に向かって形成された窪み空間部４８内において回転可能である。
【００６１】
以上のように、連結子２１がアダプタラッチ２２とは別体にされる。そして、連結子２１は、連結子部２３及び回動増幅した動作量の位置を表示する回転表示部２５から構成され、連結子部２３は、その先端が前記アダプタラッチ２２に当接し、連結子回転支点３１を備え、他端側に駆動面３２の駆動面３３を有して、連結子回転支点３１を中心として回動可能とされる。回転表示部２５は、回転表示部回転支点４１を備え、駆動面３３に係合する被駆動面４３を有して、回転表示部回転支点４１を中心として回動可能とされる。駆動面３３と被駆動面４３で回転力伝達係合部５０が形成され、この回転力伝達係合部５０が形成された連結子２１がアダプタラッチの頭部９Ａの浮き上がり動作によって、二つの連結子回転支点３１、及び回転表示部回転支点４１を中心として回動され、回転表示部２５がその回転表示面４２に回動増幅した動作量を示すようになる。
【００６２】
駆動面３３及び被駆動面４３の双方は、それぞれ段差３４、４４が形成された、連結子部２３の連結子回転支点３１から遠近のある面３５、３７及び４６、４７とされ、回転に伴って、連結子部２３の連結子回転支点３１から近い側の駆動面３５及び被駆動面４６の係合から、遠い側の駆動面３７及び被駆動面４７との係合へとシフトされて回転伝達がなされるようにされる。
【００６３】
回転表示面４２は、異なった色彩の施された、連結子２１の回動に伴って、この色彩を視認する表示窓３９が備えられる。
図２に示すように、表示窓３９は、駆動子２１の回転方向に対して直角方向に長細形状とされ、回転表示面４２は、同直角方向に、この長細形状の長細幅よりも大きな幅を持つように形成される。
【００６４】
また、図３に示すように、連結子２１は、この連結子２１を常にアダプタラッチ２２に押圧する力が作用する板ばね３０を備える。
【００６５】
連結子部２３は、Ｖ字状に形成される。板材を用いてＶ字状に形成し、板ばね機能を保持し、該板ばね機能による伝達力が前記被駆動面に伝達されるようにすることができる。板材を用いることによって安価にかつ板ばね機能の強い連結子２３とすることができる。
【００６６】
以上のような構成によって、回転表示部２５の回転表示面４２への回動増幅した動作量の表示は次のようになされる。
【００６７】
図３（ａ）は、正常時であってアダプタラッチの頭部９Ａが通過孔２０の方向へ突出移動による浮き上がりしていない状態を示す。この状態は、光コネクタ２が光アダプタ本体４に挿入されていないか、挿入後のラッチによる係合が正常になされている状態である。この状態では、連結子２１は駆動されず、連結子部２３、回転表示部２５の回転はなく、表示窓３９を介して回転表示部２５の回転表示面４２の黄又は緑色色彩表示部２６の色彩が識別して視認され得る。従って、この状態では、回転前垂直配置の対向面である駆動面（垂直面）３５及び被駆動面（垂直面）４６が垂直方向で接触状態である。傾斜面３７とこれに対向する被駆動面（垂直面）４７とは非接触状態にある。
【００６８】
図３（ｂ）は、半挿し時の回転表示部回転途中の状態を示す。
【００６９】
この状態では、アダプタラッチの頭部９Ａが、光コネクタ２に設けた板状部１４´に乗り上げ状態となって浮き上がり動作されて、またはコネクタラッチの頭部１９にアダプタラッチの頭部９Ａが係合することなく頭部同士が当接したときに、コネクタラッチの頭部１９によって浮き上がり動作されている。他の手段を光コネクタ２に設けて浮き上がり動作するようにしてもよい。
【００７０】
この状態では、アダプタラッチの頭部９Ａの浮き上がりによって連結子部２３が連結子回転支点３１を中心として時計方向に回動し上述の駆動面３５による被駆動面４６の回転駆動から連結子回転支点３１から遠い他の駆動面である傾斜面３７が被駆動面４７を回転駆動しようとしている移行点の状態を示す。このように段差３４及び段差４４を設けた構成とすることによって回転表示部２５の回転に当って回転半径を小さくすることができ、これに伴って装置を小型化することができる。
【００７１】
この状態では、回転表示部２５の回転表面４２の上に施された２つの色彩が境を中心として表示窓３１から識別して表示され、一方の色彩から他方の色彩への移行状態にあることが視認される。
【００７２】
図３（ｃ）は、半挿し時の状態を示す。この状態は、図３（ｂ）の状態から更なるアダプタラッチの頭部９Ａの浮き上がりによって連結子部２３が更に回動した状態となる。図３（ｂ）に示すように、傾斜面３７が被駆動面４７を回動し、半挿しになると、水平面３６が被駆動面４７に接触するに至って安定する。
【００７３】
この回動状態では、回転表示部２５が連結子部２３によって回動されて赤色の回転表面が表示窓３９に対向する。これによって、表示窓３９から赤色が表示され、半挿しの状態にあることが表示窓３９を介して視認される。
【００７４】
なお、上述の説明では駆動面、被駆動面を平面状にある場合について説明したが、他の面、例えば曲面、ギザギザ面に変形してもよいことは勿論である。
【００７５】
以上の実施例によれば、光アダプタラッチ９がコネクタラッチ１３の頭部１９に乗り上げたことによるラッチの動作を簡便に機械的に回転増幅し、また光アダプタの取り付け場所によっては斜め方向からも係合、嵌合状態を容易に視認することができる。
【００７６】
これによって、接続のための取り付け工事中に目視による半挿状態を容易に確認できるので、半挿状態で工事を終了させることを防止することができるようになる。また、ユーザーが誤ってつまみ１４を引戻して半挿し状態になったときにあっても、また他の原因によってこの半挿し状態をユーザー自身で確認することができる。
【００７７】
また、回動動作量の増幅が回転表示部２４が回転表示部回転支点４１を中心としての回動によって達成される。また、アダプタラッチの頭部９Ａの浮き上がりは、連結子回転支点３１を設け、段差構造を採用することによってより小さくされた回転半径で、回転表示部２４に回転力伝達係合部５０を介して伝達され、小型化された装置によって伝達される。
【００７８】
なお、上述の説明では、光コネクタ接合の正常状態及び半挿し状態を区別するようにして表示する構成について説明したが、光コネクタを接続していない状態（例えば接続操作前の状態）ではコネクタラッチ１３が光アダプタ４内にない状態であることを利用し、板バネ３０によって識別用の回転表示部２５を回転させ、回転表示部２５の回転表示面にＮＧ表示色を設けた部分を形成しておくことによってこのＮＧ表示色が光コネクタを接続していないときのＮＧ表示を示すようにＮＧ表示面を形成しておくことも可能である。この構成によれば、監視箱２４を表示窓３９を介して回転表示部２５を監視することで３段階の表示を判別することができるようになる。
【実施例２】
【００７９】
図４及び図５は、図１及び図２に対応して、実質的に同一の構成をなすが、シャッターが設けられていない場合の実施例を示す。すなわち実施例１はシャッター５１が取り付けられていたが、本実施例の場合には光コネクタ２の挿入側入口にシャッターが取り付けられていないことが実施例１の構造と異なっている。このため、図２にあってはシャッター５１のシャッター取り付け部５２が設けられていたが、図５に示すようにシャッター取り付け部５２が設けられておらず、アダプタ本体４の入口部は垂直に形成された開口面５３とされる。
【００８０】
また、この例では、表示窓３９が監視箱２４の上面（光アダプタ２、２Ａ方向上部上面）に形成される。
【実施例３】
【００８１】
図６及び図７は、図４及び図５に対応して、実質的に同一の構成をなすが、実施例２に比べると、連結子部２２及び識別用の回転表示部２５、２５Ａ、板バネ３０及び表示窓３９の配置が異なる。すなわち実施例１、２の例にあっては回転表示部２５、２５Ａは、光アダプタ２、２Ａに対して直角方向すなわち垂直方向に回転し、これに伴って表示窓３９は上面に形成されていたが、本例の場合、回転表示部２５、２５Ａは連結子部２２の浮き上がりと従って平面方向すなわち光アダプタ２、２Ａの配置方向に回転するように配置されており、これに伴って表示部３９は光コネクタ２、２Ａの挿入側の側面に形成される。すなわち、表示窓３９は、監視箱２４の挿入側側面に形成される。
【実施例４】
【００８２】
図８は、先の実施例１、２、３と実質的に同一の構成をなすが、監視箱２４のアダプタ本体４への取り付け方法が異なっている。先の実施例では、監視箱は、アダプタ本体４との一体成形によってアダプタ本体４と一体物とされていたが、この例にあっては監視箱２４はアダプタ本体４とは別体として構成され、アタッチメント方式によってアダプタ本体４と一体物とされていることが異なる。
【００８３】
この例にあっては、監視箱２４は、箱状に形成され、連結子２２の連結子部２３が配設される側の面にアタッチメント面６１を備える。このアタッチメント面６１の付加によって監視箱は６面に面を有する箱状体とされる。
【００８４】
アダプタ本体４の側方側面にもアタッチメント面６２が形成され、アタッチメント面６１と接合される。
【００８５】
アタッチメント面６１には、４隅に嵌め込み式の接合部６３が形成され、アタッチメント面６１には他の接合部６４が設けられて、これらの接合部６３、６４によってアタッチメント面６１はアタッチメント面６２に接合され、監視箱２４はアダプタ本体４に一体とされる。
【００８６】
アタッチメント面６１には、連結子２２の連結子部２３が通過する通過孔２０の位置に対応して通過孔６５が形成される。
【００８７】
このように、監視箱２４を別体構成とすることによって、監視箱２４が必要とされる場合に限って監視箱２４を適宜配置できるようになる。この場合、アダプタ本体４には、上述の接合部６４を設けておき、必要に応じて監視箱２４を接合、一体化することになる。
【００８８】
図８には、三つの異なる構成の監視箱２４が図示してあり、いずれかの監視箱２４が取り付けられる。図８（ａ）に示す監視箱２４は、上面に表示窓３９を備え、実施例１に対応したものとなる。図８（ｂ）に示す監視箱２４は、光コネクタ２、２Ａの挿入側側面に表示窓３９を備え、実施例３に対応したものとなる。図８（ｃ）に示す監視箱２４は、上面及び挿入側側面の双方に表示窓３９を備える。
【００８９】
図８（ａ）及び図８（ｂ）に示す例において、アタッチメント面６１を正方形とすることによって、監視箱２４を９０度回転させることで、表示窓３９を上側にも横側にでも位置するように取り付けることができるようになる。
【符号の説明】
【００９０】
１…光アダプタ、２，２Ａ…光コネクタ、３，３Ａ…光ファイバケーブル、４…アダプタ本体、５…フエルール、６…アダプタスリーブ、８…スリーブ、９…アダプタラッチ、９Ａ…頭部、１１…ハウジング、１２…割スリーブ、１３…コネクタラッチ、１４´…板状部、１５…フエルールフランジ、１９…頭部、２０…通過孔、２１…連結子、２２…連結子部、２３…連結子部、２４…監視箱、２５，２５Ａ…識別用の回転表示部、３０…板バネ、３１…連結子回転支点、４１…回転表示部回転支点、３９…表示窓、５０…回転力伝達係合部、５１…シャッター。
【要約】
【課題】ラッチの動作を接続工事時に目視を容易に確認できるようにして、係合状態の不成立、すなわち半挿といわれる状態で工事を終了するような場合や、接続工事後に誤ってコネクタつまみを引き、半挿状態となる接続不良事故の発生を防止する。
【解決手段】連結子がアダプタラッチとは別体にされて、連結子部及び回動増幅した動作量の位置を表示する回転表示部から構成される。連結子部は、その先端がアダプタラッチに当接し、回転支点を備え、他端側に駆動面を有して、この回転支点を中心として回動可能とされ、回転表示部が回転支点を備え、駆動面に係合する被駆動面を有して、当該回転支点を中心として回動可能とされ、駆動面と被駆動面で回転力伝達係合部が形成され、この回転力伝達係合部が形成された連結子がアダプタラッチの頭部の浮き上がり動作によって、二つの回転支点を中心として回動される。
【選択図】図１【図１】
0004685972.tif 000002
【図２】
0004685972.tif 000003
【図３】
0004685972.tif 000004
【図４】
0004685972.tif 000005
【図５】
0004685972.tif 000006
【図６】
0004685972.tif 000007
【図７】
0004685972.tif 000008
【図８】
0004685972.tif 000009